【手続補正書】
【提出日】平成22年2月16日(2010.2.16)
【手続補正１】
【補正対象書類名】特許請求の範囲
【補正対象項目名】全文
【補正方法】変更
【補正の内容】
【特許請求の範囲】
【請求項１】
無線ＬＡＮ内の少なくとも第１の無線アクセス・ポイントと第２の無線アクセス・ポイントとの間でモバイル・ステーションのシームレスなハンドオーバを行う通信システムであって、
前記モバイル・ステーションは、少なくとも前記第１の無線アクセス・ポイントの通信エリア内に存在し、当該第１の無線アクセス・ポイントとの間でデータの送受信を行い、
前記通信システムは、
データ・ソースからのデータを記憶する第１のサーバと、
前記第１のサーバと前記第１および第２の無線アクセス・ポイントとの間でデータ交換を行うスイッチと、
前記スイッチに結合され、前記モバイル・ステーションが前記第１のアクセス・ポイントから前記第２のアクセス・ポイントにローミングするときに、前記スイッチを介して前記第１のサーバからデータを受信し、前記ローミングの後、前記モバイル・ステーションに記憶されたデータを前記スイッチを介して転送する第２のサーバと、
を含む、前記通信システム。
【請求項２】
前記第１のサーバは、前記モバイル・ステーション用のストリーミング・メディア・データを記憶するストリーミング・サーバである、請求項１に記載の通信システム。
【請求項３】
前記第２のサーバは、前記モバイル・ステーションが前記第１のアクセス・ポイントから前記第２のアクセス・ポイントにローミングするときに前記第１のサーバからのデータをキャッシュし、キャッシュしたデータを前記スイッチを介して前記モバイル・ステーションに転送するキャッシュ・サーバである、請求項１または２に記載の通信システム。
【請求項４】
前記通信システムは無線ＬＡＮビデオ・ストリーム放送システムであり、前記スイッチはイーサネット（登録商標）スイッチである、請求項１から３のいずれか１項に記載の通信システム。
【請求項５】
前記モバイル・ステーションは、前記ローミングの間に前記第２のサーバに送信されるデータ・キャッシュ開始リクエスト・メッセージを備え、
前記第２のサーバは、第１のサーバからの前記モバイル・ステーション用のデータの受信およびキャッシュを開始するために、前記データ・キャッシュ開始リクエスト・メッセージに応答して前記モバイル・ステーションに送信される受信確認メッセージを備え、
前記モバイル・ステーションは、ハンドオーバ・プロセスまたはスキャン・プロセスの後に、前記モバイル・ステーション用のデータのキャッシュを停止し、キャッシュされたデータを前記モバイル・ステーションに転送するために、前記第２のサーバに送信されるデータ・キャッシュ停止リクエスト・メッセージを備えている、請求項１から４のいずれか１項に記載の通信システム。
【請求項６】
前記第１のサーバからのマルチキャスト・データを取得するために前記第２のサーバが参加するマルチキャスト・グループをさらに含む、請求項５に記載の通信システム。
【請求項７】
前記第２のサーバは、ユニキャスト・データ用の疑似のイーサネット（登録商標）フレームを備え、当該疑似のイーサネット（登録商標）フレームは、モバイル・ステーションのＭＡＣアドレスと組み合わされ、当該組み合わされたフレームが前記スイッチに一回、または、数回送信されることにより前記スイッチを欺き、当該スイッチに前記モバイル・ステーションのＭＡＣポート・マップ・エントリを変更させた後、前記第１のサーバから前記モバイル・ステーションに送られることになっていたデータを受信する、請求項５に記載の通信システム。
【請求項８】
前記データ・ソースは、ストリーム・ビデオ・データを前記第１のサーバに送信するライブ・ビデオ・ソースである、請求項１から７のいずれか１項に記載の通信システム。
【請求項９】
前記第２のサーバはピアツーピア・モードで動作可能であり、前記第２のサーバは前記モバイル・ステーションに統合可能である、請求項１から８のいずれか１項に記載の通信システム。
【請求項１０】
無線ＬＡＮ内の少なくとも第１の無線アクセス・ポイントと第２の無線アクセス・ポイントとの間でモバイル・ステーションのシームレスなハンドオーバを行う通信方法であって、
第１のサーバによって、データ・ソースからのデータを記憶するステップと、
スイッチを介して、第１のサーバと前記第１および第２の無線アクセス・ポイントとの間でデータ交換を行うステップと、
前記モバイル・ステーションが少なくとも前記第１の無線アクセス・ポイントの通信エリア内に存在する間に、前記モバイル・ステーションによって前記第１の無線アクセス・ポイントとの間でデータの送受信を行うステップと、
前記モバイル・ステーションが前記第１のアクセス・ポイントから前記第２のアクセス・ポイントにローミングするときに、前記スイッチを介して前記第２のサーバによって前記第１のサーバからデータを受信し、前記ローミングの後、前記モバイル・ステーションに記憶されたデータを前記スイッチを介して転送するステップと、
を含む、前記通信方法。
【請求項１１】
前記第１のサーバは、前記モバイル・ステーション用のストリーミング・メディア・データを記憶するストリーミング・サーバである、請求項１０に記載の通信方法。
【請求項１２】
前記第２のサーバは、前記モバイル・ステーションが前記第１のアクセス・ポイントから前記第２のアクセス・ポイントにローミングするときに前記第１のサーバからのデータをキャッシュし、キャッシュしたデータを前記スイッチを介して前記モバイル・ステーションに転送するキャッシュ・サーバである、請求項１０または１１に記載の通信方法。
【請求項１３】
前記通信システムは無線ＬＡＮビデオ・ストリーミング通信システムであり、前記スイッチはイーサネット（登録商標）スイッチである、請求項１０から１２のいずれか１項に記載の通信方法。
【請求項１４】
前記第１のアクセス・ポイントから前記第２のアクセス・ポイントへのローミングを行い、さらに、利用可能な無線アクセス・ポイントを見つけるためにスキャンを行っている間に、
前記モバイル・ステーションは、データ・キャッシュ開始リクエスト・メッセージを前記第２のサーバに送信し、
前記第２のサーバは、前記データ・キャッシュ開始リクエストに応答して受信確認メッセージを前記モバイル・ステーションに送信し、前記第１のサーバから前記モバイル・ステーション用のデータの受信およびキャッシュを開始し、
ハンドオーバ・プロセスまたはスキャン・プロセスの後、前記モバイル・ステーションは、データ・キャッシュ停止リクエストを前記第２のサーバに送信し、
前記第２のサーバは、前記データ・キャッシュ停止リクエストに応答して前記モバイル・ステーション用の前記データのキャッシュを停止し、前記データを前記モバイル・ステーションに転送する、請求項１０から１３のいずれか１項に記載の通信方法。
【請求項１５】
前記第２のサーバは、マルチキャスト・データを受信すると、マルチキャスト・グループに参加して前記第１のサーバから前記マルチキャスト・データを取得する、請求項１４に記載の通信方法。
【請求項１６】
前記第２のサーバは、ユニキャスト・データを受信すると、疑似のイーサネット（登録商標）フレームを生成し、当該疑似のイーサネット（登録商標）フレームを前記モバイル・ステーションのＭＡＣアドレスと組み合わせ、組み合わされたフレームを前記スイッチに一回、または数回送信することにより、前記スイッチを欺き、当該スイッチに前記モバイル・ステーションのＭＡＣポート・マップ・エントリを変更させた後、前記第１のサーバから前記モバイル・ステーションに送られることになっていたデータを受信する、請求項１５に記載の通信方法。
【請求項１７】
前記データ・ソースは前記第１のサーバに送信するライブ・ビデオ・ソースである、請求項１０から１６のいずれか１項に記載の通信方法。
【請求項１８】
前記第２のサーバはピアツーピア・モードで動作可能であり、前記第２のサーバは前記モバイル・ステーションに統合可能である、請求項１０から１７のいずれか１項に記載の通信方法。
【請求項１９】
前記データ・キャッシュ開始リクエスト・メッセージは、
前記第２のサーバおよび前記モバイル・ステーションに対し、受信したＵＤＰパケットがキャッシュ制御メッセージであるかどうかを示す制御メッセージ・フラグ・フィールドと、
第１の値を有し、メッセージがデータ・キャッシュ開始リクエストであることを示すメッセージ・タイプ・フィールドと、
メッセージの前記モバイル・ステーションにおける唯一のシーケンス番号である、リクエストのシーケンス番号と、
キャッシュされるストリームのＩＰアドレスであるストリーム送信先アドレスと、
キャッシュされるストリームのＵＤＰポートであるストリーム送信先ポートと、
メッセージ・ワードのアライメントを行うことに使用されるパディング・フィールドと、
を含む、請求項１４に記載のシームレスなハンドオーバ方法。
【請求項２０】
前記データ・キャッシュ停止リクエスト・メッセージは、
前記第２のサーバおよび前記モバイル・ステーションに対し、受信したＵＤＰパケットがキャッシュ制御メッセージであるかどうかを示す制御メッセージ・フラグ・フィールドと、
前記第１の値以外の第２の値を有し、メッセージがデータ・キャッシュ停止リクエストであることを示すメッセージ・タイプ・フィールドと、
メッセージの前記モバイル・ステーションにおける唯一のシーケンス番号であるリクエストのシーケンス番号と、
キャッシュされるストリームのＩＰアドレスであるストリーム送信先アドレスと、
キャッシュされるストリームのＵＤＰポートであるストリーム送信先ポートと、
メッセージ・ワードのアライメントを行うことに使用されるパディング・フィールドと、
を含む、請求項１９に記載のシームレスなハンドオーバ方法。
【請求項２１】
前記受信確認メッセージは、
前記第２のサーバおよび前記モバイル・ステーションに対し、受信したＵＤＰパケットがキャッシュ制御メッセージであるかどうかを示す制御メッセージ・フラグ・フィールドと、
前記第１の値および前記第２の値以外の第３の値を有し、メッセージがデータ・キャッシュ開始リクエストであることを示すメッセージ・タイプ・フィールドと、
メッセージの前記モバイル・ステーションにおける唯一のシーケンス番号であるリクエストのシーケンス番号と、
キャッシュ・リクエストを開始する前記モバイル・ステーションのＩＰアドレスであるリクエスト者のアドレスと、
キャッシュ・リクエストを開始する前記モバイル・ステーションのＵＤＰポートであるリクエスト者のポートと、
メッセージ・ワードのアライメントを行うことに使用されるパディング・フィールドと、
を含む、請求項１９または２０に記載のシームレスなハンドオーバ方法。